(57)【要約】      （修正有）【課題】リムーバブルＨＤＤを用いる情報記録再生装置において、メディアの着脱を容易に行い、またメディアの破損を防止すること。【解決手段】リムーバブルＨＤＤメディア１０ａ、１０ｂを装着するスロット２ａ、２ｂと、メディアの装着面に平行なテーブル５とを有し、スロットの底面とテーブルの上面との間に所定の隙間を設けた構造とする。また、テーブルと装着されたメディアとの隙間を塞ぐフラップを備え、メディアに対して記録・再生動作中はフラップを上昇させて隙間を塞ぐようにした。さらに、テーブルの少なくとも両側面を支持するフレーム６を有し、フレームの上面の高さを装着されたメディアの位置よりも高くした。【選択図】図２
2008305505.tif 000002
【特許請求の範囲】
【請求項１】
リムーバブルハードディスクメディアを用いて情報を記録・再生する情報記録再生装置において、
上記リムーバブルハードディスクメディアを装着するスロットと、
上記リムーバブルハードディスクメディアの装着面に平行なテーブルとを有し、
上記スロットの底面と上記テーブルの上面との間に所定の隙間を設けたことを特徴とする情報記録再生装置。
【請求項２】
請求項１に記載の情報記録再生装置において、
前記テーブルと装着された前記リムーバブルハードディスクメディアとの隙間を塞ぐメディア誤抜防止機構を備え、
装着された前記リムーバブルハードディスクメディアに対して情報の記録・再生動作中は上記メディア誤抜防止機構により前記隙間を塞ぐことを特徴とする情報記録再生装置。
【請求項３】
請求項１に記載の情報記録再生装置において、
前記テーブルの少なくとも両側面を支持するフレームを有し、
該フレームの上面の高さを装着された前記リムーバブルハードディスクメディアの位置よりも高くしたことを特徴とする情報記録再生装置。
【請求項４】
請求項３に記載の情報記録再生装置において、
前記フレームの上面及び下面のエッジ部をカットして曲面状としたことを特徴とする情報記録再生装置。
【発明の詳細な説明】
【技術分野】
【０００１】
本発明は、リムーバブルハードディスク媒体を用いて映像・音声等の情報を記録・再生する情報記録再生装置に関するものである。
【背景技術】
【０００２】
近年、放送等の映像・音声コンテンツを記録する家庭用デジタルレコーダでは、記録メディアとしてハードディスクや光ディスク（ＤＶＤ等）が用いられている。ハードディスクは光ディスクよりも大容量で高速転送可能であるが、一般には据付型構造であるため、記録した情報を装置外に持ち出して他の装置で利用することが不便であった。この点を解消するため、ハードディスクドライブをカートリッジに収納して可搬性を持たせたリムーバブルハードディスク（リムーバブルＨＤＤ、商標名：ｉＶＤＲ）が開発され、パソコンやテレビの新たな可搬メディアとして商品化されている。
【０００３】
またリムーバブルＨＤＤを用いるレコーダの構造として、次のような提案がなされている。特許文献１には、監視カメラなどの撮影装置により撮影された映像を記録するレコーダ装置が記載され、内蔵型のＨＤＤ装置を備えるとともにリムーバブルＨＤＤ装置を脱着可能とする構成とし、異常事態発生時は記録先をリムーバブルＨＤＤ装置に切り替えるものである。特許文献２には、可搬性のリムーバブルＨＤＤに対応するとともに、さらに小径の光ディスクを組み込んだカートリッジを用いる装置が記載され、その際前記リムーバブルＨＤＤ用カートリッジと互換性のあるインタフェースを有する構成としている。
【０００４】
【特許文献１】特開２００５−８６４０３号公報
【特許文献２】特開２００５−３１０２９４号公報
【発明の開示】
【発明が解決しようとする課題】
【０００５】
現在リムーバブルＨＤＤとして、２．５インチ用と１．８インチ用の２つの規格に対応して製品化がなされている。それぞれのカートリッジはコネクタ部が共通であり、外形サイズは幅と高さが等しく奥行き寸法が異なる。リムーバブルＨＤＤは新たなメディアであり、レコーダに装着するときの操作性とメディアの保護のため、レコーダに関して次の点について配慮が必要である。
【０００６】
（１）ユーザはカートリッジの端部を掴みながら、レコーダのスロットに差し込み、また抜き取る。その時の着脱は手動で行うため、容易に行えるようにすること。
（２）メディアが記録・再生動作中に着脱すると、メディア（ＨＤＤ）を破損する恐れがある。よって、動作中のメディアをユーザが誤って抜き取ることのないようにすること。
（３）メディアをスロットに装着するとき、カートリッジ全体がスロットに収納されず、一部が筐体の外部に突き出した状態となる。外形（奥行き）の大きいメディアでは、この突き出し量は相当大きくなる。ＨＤＤは外部衝撃に弱いので、落下物に対する衝撃を防止する必要がある。
【０００７】
前記特許文献に記載のレコーダでは、これらの観点については何ら配慮されていない。
本発明は、リムーバブルＨＤＤを用いる情報記録再生装置において、メディアの着脱を容易に行い、またメディアの破損を防止することを目的とする。
【課題を解決するための手段】
【０００８】
本発明は、リムーバブルＨＤＤを用いて情報を記録・再生する情報記録再生装置であって、リムーバブルＨＤＤを装着するスロットと、リムーバブルＨＤＤの装着面に平行なテーブルとを有し、スロットの底面とテーブルの上面との間に所定の隙間を設けた構造とする。
【０００９】
また、テーブルと装着されたリムーバブルＨＤＤとの隙間を塞ぐメディア誤抜防止機構を備え、装着されたリムーバブルＨＤＤに対して記録・再生動作中はメディア誤抜防止機構により隙間を塞ぐようにした。
【００１０】
さらに、テーブルの少なくとも両側面を支持するフレームを有し、フレームの上面の高さを装着されたリムーバブルＨＤＤの位置よりも高くした。
【発明の効果】
【００１１】
本発明によれば、リムーバブルＨＤＤを用いる情報記録再生装置において、メディアの着脱を容易に行い、またメディアの破損を防止する効果がある。
【発明を実施するための最良の形態】
【００１２】
以下、本発明の実施の形態を図面を用いて説明する。
図１は、本発明にかかる情報記録再生装置の一実施例を示すブロック図である。本実施例の情報記録再生装置（レコーダ）１は、テレビ放送を受信し、受信した映像・音声コンテンツを記録・再生するとともに、映像・音声信号をディスプレイ装置等へ出力して表示させる機能を有する。コンテンツを記録する記録媒体として、可搬型のリムーバブルＨＤＤメディア（以下、「ＨＤＤメディア」または単に「メディア」とも称する）を用いる。
【００１３】
チューナ１１と復調部１２は、デジタル放送信号を受信・選局・復調して映像・音声デジタル信号を得る。ＨＤＤコントローラ１３は、装着されたＨＤＤメディアに映像・音声信号（コンテンツ）を供給し、記録・再生を制御する。ここではＨＤＤメディア装着用に２系統の入出力端子（コネクタ）２０ａ，２０ｂを備え、２個のＨＤＤメディア間でのコンテンツのコピーや移動も可能としている。一方、受信した映像・音声信号やＨＤＤメディアから再生したコンテンツ信号は、デコーダ１４で復号化して、外部のディスプレイ装置等へ出力し表示させる。出力端子としてはＨＤＭＩ端子１５、映像端子１６、音声端子１７などを備える。リモコン受信部１８は、外部のリモコン１９からユーザの操作を受け付ける。図面では省略しているが、これ以外に外部入力端子を有し、任意の映像音声信号を入力して記録することもできる。
【００１４】
本実施例の情報記録再生装置は、後述するように小型で持ち運びが可能であり、これを用いれば、ＨＤＤメディアの装着機構がないテレビでも、視聴中のコンテンツをＨＤＤメディアに記録することができる。また、ＨＤＤメディアに記録されたコンテンツを、ＨＤＤメディアの装着機構がないテレビでも容易に視聴することができる。
【００１５】
図２は、本発明にかかる情報記録再生装置の一実施例を示す外観図である。記録媒体として、２個のＨＤＤメディア１０ａ，１０ｂを搭載可能としている。ＨＤＤメディア１０ａ，１０ｂの収納されるカートリッジのサイズとして、幅Ｗ（＝８０ｍｍ）と高さＨ（＝１２．７ｍｍ）は等しく、奥行きＤ（１１０ｍｍと６７ｍｍ）が異なる２種類のメディアを想定する。（ａ）は、メディアを装着する前の状態を、（ｂ）は装着した後の状態を示す。図では省略しているが、リモコン受信部は装置前面に、また信号の各入出力端子は背面に設けている。
【００１６】
情報記録再生装置１は、筐体３の前面４に２個のメディア装着用のスロット２ａ，２ｂを設け、ＨＤＤメディア１０ａ，１０ｂをこれらのスロット２ａ，２ｂに水平方向に差し込む。２個のスロット２ａ，２ｂの形状（開口部と奥行きの寸法）は同一であり、いずれのメディアも区別なく装着できる。筐体３の前面側には、メディアの装着面（すなわちスロット２の装着面）に平行なテーブル５と、テーブル５を両側で支持するフレーム６ａ，６ｂを設けている。メディアをスロットに装着する際、メディア全体がスロットに収納されず、（ｂ）のようにメディアの一部が前面４から手前に突き出した状態で収納される。当然ながら、奥行きＤの大きい方のメディア（図では１０ａ）は突き出し量Ｌが大きくなる。
【００１７】
本実施例では、メディアの着脱を容易にし、また装着したメディアを保護するために、情報記録再生装置を次のような構造としたことに特徴がある。
（１）テーブル５の上面とスロット２の底面の間に所定の隙間を設ける。
（２）動作中のメディアを誤って抜き取ることを防止する機構を設ける。
（３）フレーム６の高さを装着されたメディアの位置よりも高くする。
（４）フレームの上下のエッジをカットする。
（５）テーブル５の面に持ち運び用の取っ手を設ける。
【００１８】
これらの特徴について、以下詳細に説明する。
図３は、本実施例の情報記録再生装置におけるスロット位置の一例を示す図である。（ａ）はＨＤＤメディア１０の斜視図、（ｂ）はスロット２近傍の側面図である。ＨＤＤメディア１０を着脱する際、ユーザは、メディア１０（カートリッジ）の端部にある滑り止め部１０ｃを指で掴んでスロット２に差し込み、また抜き取る場合が多い。そのために、メディア１０をテーブル５の上面から浮かせて配置することで、指で掴み易く着脱操作が容易になる。つまり、テーブル５の上面とスロット２の底面の間に所定の隙間Ｓを設けた。この隙間Ｓの値は、例えば８〜１５ｍｍ程度が適当である。
【００１９】
図４は、本実施例の情報記録再生装置におけるメディア誤抜防止機構の一例を示す図である。これは、記録・再生動作中のメディアがユーザにより誤って抜き取られることを防止するものである。（ａ）はメディア１０をスロット２に着脱する状態、（ｂ）は装着されたメディア１０にて情報を記録・再生中の状態である。本実施例では、メディア誤抜防止のため、装着されたメディア１０の下側のテーブル５に上下に可動するフラップ５１を設け、メディア１０とテーブル５の隙間を塞ぐようにした。またストッパー５２は、上昇したフラップ５１を固定するためのものである。
【００２０】
（ａ）の着脱時は、ストッパー５２はフリーの状態にあり、フラップ５１は可動軸に組み込んだバネにより破線５１’のように上昇した状態にある。ユーザはメディア１０を指で掴んで差し込むと、フラップ５１は指の力を受けテーブル５とほぼ同一面まで下降する。
（ｂ）のメディア動作中は、ストッパー５２を突き出た状態でロックさせることで、フラップ５１は上昇した状態で固定される。フラップ５１はメディア１０とテーブル５の隙間を塞ぐので、ユーザの指が隙間に入らず、メディア１０を誤って抜き取ることを防止する。
【００２１】
なお、メディア誤抜防止機構はこれに限らず、メディア１０とテーブル５の隙間を塞ぐ構造のものであればよく、また隙間を完全に塞ぐのではなく、ユーザの指が入らない程度に縮小するものであれば十分である。
【００２２】
図５は、本実施例の情報記録再生装置におけるフレームの形状の一例を示す図である。（ａ）は正面図、（ｂ）は側面図（Ａ−Ａ断面図）である。
【００２３】
ＨＤＤメディア１０を装着すると、メディア１０は前面４からＬだけ付き出た状態で収納される。奥行きＤの大きいメディア１０ａではＬの値は５０〜６０ｍｍ程度となる。この場合上方からの落下物があると、装着されているメディア１０に衝撃を与え、内部のＨＤＤを損傷させる恐れがある。このような場合、一般には保護カバーなどでメディアを覆うことが考えられるが、本装置では、筐体の前面４を操作・表示板として用いるため、保護カバーの取り付けは困難である。また、ＨＤＤメディア１０の放熱を良くするためにも、開放状態とするのが好ましい。そこで、保護カバーなしでメディア１０を保護できる構造とした。
【００２４】
まず、フレームの上面６ａの高さをメディア１０ａの装着位置よりも寸法Ｕだけ高い位置になるようにして、落下物が直接メディア１０ａに衝突しないようにする。その差Ｕは、例えば５〜２０ｍｍ程度が適当である。
【００２５】
さらに、フレームの上面６ａと下面６ｂの形状を、そのエッジ部をカットして曲面状とした。上方から落下物が衝突した場合、曲面状のフレーム上面６ａは、衝撃力を曲面に沿った方向に分散させる。またフレーム下面６ｂが曲面状であるため、筐体３全体が矢印Ｐの方向に傾斜して衝撃力を緩和する。さらに下面６ｂにゴム等の衝撃吸収材７を貼り付けることで、より衝撃力を吸収できる。これらの結果、テーブル５の上面空間が開放されていても、装着したメディア１０を保護することができる。図ではフレームの上面６ａを両側面に設けたが、さらに２個のスロット２ａ，２ｂの中間位置に追加して設ければ、落下物に対してより安全となる。
なお、フレームの上面６ａと下面６ｂの形状は、曲面の代わりにこれに近い複数個の平面を組合せて構成してもよい。
【００２６】
図６は、本実施例の情報記録再生装置において取っ手を設けた構造の一例を示す図である。テーブル５の先端側の部分に貫通穴を設けて、持ち運び用の取っ手８とした構造である。これによりユーザは、本装置を所望の場所に持参して使用することができる。なお本装置の設置方向は限定するものではない。すなわち、取っ手８を上方向にした縦置きとして使用することもできる。そのような場合でも上記した本実施例の効果は有効であり、メディアの着脱を容易にし、装着したメディアを保護することができる。
【図面の簡単な説明】
【００２７】
【図１】本発明にかかる情報記録再生装置の一実施例を示すブロック図。
【図２】本発明にかかる情報記録再生装置の一実施例を示す外観図。
【図３】本実施例におけるスロット位置の一例。
【図４】本実施例におけるメディア誤抜防止機構の一例。
【図５】本実施例におけるフレームの形状の一例。
【図６】本実施例において取っ手を設けた構造の一例。
【符号の説明】
【００２８】
１…情報記録再生装置
２ａ，２ｂ…スロット
３…筐体
４…前面
５…テーブル
６ａ，６ｂ…フレーム
７…衝撃吸収材
８…取っ手
１０ａ，１０ｂ…リムーバブルＨＤＤメディア
１０ｃ…滑り止め部
５１…フラップ
５２…ストッパー。
【図１】
2008305505.tif 000003
【図２】
2008305505.tif 000004
【図３】
2008305505.tif 000005
【図４】
2008305505.tif 000006
【図５】
2008305505.tif 000007
【図６】
2008305505.tif 000008